(57)【要約】【課題】帯電媒体の機器への挿入時のＥＳＤ耐性試験において、媒体への帯電と機器への挿入を、媒体に直接人体が触れることなく実施するための媒体の挿入用の試験冶具を提供することを目的とする。【解決手段】被試験装置に対して媒体の挿入による静電気放電耐性試験を行うための試験治具は、前記媒体を保持するための絶縁材料で形成されている媒体保持部と、前記媒体保持部を支持するための絶縁材料で形成されている支持部と、前記支持部内部から媒体保持部まで挿入されており、外力の印加により前記保持された媒体を押下して前記被試験装置に挿入する絶縁材料で形成されている媒体挿入棒と、を有する。【選択図】図１
2010019648.tif 000002
【特許請求の範囲】
【請求項１】
被試験装置に対して媒体の挿入による静電気放電耐性試験を行うための試験治具であって、
前記媒体を保持するための絶縁材料で形成されている媒体保持部と、
前記媒体保持部を支持するための絶縁材料で形成されている支持部と、
前記支持部内部から媒体保持部まで挿入されており、外力の印加により前記保持された媒体を押下して前記被試験装置に挿入する絶縁材料で形成されている媒体挿入棒と、を有する試験治具。
【請求項２】
前記支持部の内部に挿入されているバネと、
外力の印加により前記媒体挿入棒に設けられた前記バネを圧縮するバネ押下部と、を有し、
前記媒体挿入棒への外力の消滅により前記媒体挿入棒が前記バネの反力により元の位置に復帰することを特徴とする請求項１記載の試験治具。
【請求項３】
被試験装置に対して媒体の挿入による静電気放電耐性試験を行う試験方法であって、
請求項１記載の試験治具を用いて前記媒体を保持する工程と、
保持された媒体を帯電する工程と、
帯電された媒体を前記試験治具の媒体挿入棒の押下により被試験装置に挿入する工程と、を有することを特徴とする試験方法。
【発明の詳細な説明】
【技術分野】
【０００１】
本発明は、電子機器の静電気放電耐性試験において、意図的に帯電させたフロッピーディスク、ＩＣカードなどの媒体を電子機器に挿入するための試験治具に関する。
【背景技術】
【０００２】
フロッピーディスク、ＩＣカードなどの媒体をパソコン等の電子機器に挿入する際に、媒体に帯電した静電気が電子機器の内部に放電し、誤動作や素子の破壊を生じることがある。静電気は、歩行環境や室温、湿度あるいは着衣材質などで大きく変わり、冬場のカーペット上を歩くだけで数１０ｋｖにもなることがある。電子機器は、このような障害を防ぐために、静電気放電（ＥＳＤ）耐性試験を行い、ＥＳＤによる誤動作が生じないことを確認している。
【０００３】
このため、従来は、事前に意図的に帯電させたフロッピーディスク、ＩＣカードなどの
媒体を、作業者が絶縁体の手袋をした手で持ち、電子機器の挿入箇所や接続箇所に挿入していた。しかし、作業者がフロッピーディスクなどの記憶媒体を触ったときに、帯電した媒体の電荷が人体や手袋に移動し媒体の帯電電荷が増減するため、帯電電位や電荷量が変動し正しく意図した値での印加試験ができなかった。また、装着した手袋による帯電体からの電荷の移動を防ぐために、帯電した媒体を掴むクリップ状の絶縁性の治具を使っても、電子機器の挿入箇所や接続箇所への挿入が難しく、試験の再現性を損ねていた。
【特許文献１】特開２００５−２８４６６号公報
【発明の開示】
【発明が解決しようとする課題】
【０００４】
帯電媒体の電子機器への挿入時のＥＳＤ耐性試験において、電子機器への挿入を、媒体に直接人体が触れることなく実施するための試験治具および試験方法を提供することを目的とする。
【課題を解決するための手段】
【０００５】
被試験装置に対して媒体の挿入による静電気放電耐性試験を行うための試験治具は、前記媒体を保持するための絶縁材料で形成されている媒体保持部と、前記媒体保持部を支持するための絶縁材料で形成されている支持部と、前記支持部内部から媒体保持部まで挿入されており、外力の印加により前記保持された媒体を押下して前記被試験装置に挿入する絶縁材料で形成されている媒体挿入棒と、を有する。
【０００６】
この構成により、帯電した媒体を絶縁材料の媒体挿入棒を用いて電子機器に容易に挿入できる。
【発明の効果】
【０００７】
帯電媒体の機器への挿入時の電子機器のＥＳＤ耐性試験において、媒体への帯電と電子機器への挿入を媒体に直接人体が触れることなく実施することができるので、評価の再現性を向上したＥＳＤ耐性試験が可能となる
【発明を実施するための最良の形態】
【０００８】
（実施例１）
図１に実施例１の試験治具の説明図を示す。
図１（ａ）は、試験治具１の構成図である。また、図１（ｂ）は、電子機器４１の媒体挿入口４２を示す図である。
電子機器４１の媒体挿入口４２に媒体１１を挿入する時に発生する静電気放電に対する電子機器４１の耐性を試験するために、試験治具１が使用される。図１（ａ）に示す試験治具１で媒体１１を保持して、図１（ｂ）に示す電子機器４１の媒体挿入口４２に挿入する。
試験治具１は、媒体保持部２と、支持部３と、媒体挿入棒４を有する。
媒体保持部２は、電子機器４１に挿入する媒体１１を保持する。また、媒体保持部２は、プラスチック等の絶縁性のクリップ状のものからなる。
【０００９】
図２に媒体の保持状態の説明図を示す。
また、媒体保持部２の中央部には、媒体挿入棒４が通過するための空間が形成されている。また、媒体保持部２は、媒体１１を保持する保持面５を有する。保持面５は、媒体１１の電荷が逃げないように媒体１１との接触面を少なくするため、点接触や線接触となることが望ましい。
図２（ａ）に媒体保持部２が媒体１１を保持している図を示す。保持面５は、太い黒線の部分であり、媒体１１を線状につかんでいる。
図２（ｂ）は、図２（ａ）のＡ方向から見た図である。太い黒線が保持面５であり、媒体１１を線状に保持する。
【００１０】
図１の説明に戻る。
支持部３は、媒体保持部２を支持する。また、支持部３は、プラスチック等の絶縁材であり、その内部は、筒状の空洞である。
媒体挿入棒４は、支持部３内部から媒体保持部２まで挿入されている。また、媒体挿入棒４の一部分は、試験治具１から飛び出ている。また、作業者が媒体挿入棒４の飛び出た部分を支持部３内部に押し込むことで、その先端が媒体保持部２の中央から飛び出る構造である。そして、媒体挿入棒４は、媒体１１の側面を押下する。この結果、媒体１１を電子機器４１に挿入する。媒体挿入棒４は、プラスチック等の絶縁性の高い材質とする。
ここで使用する媒体保持部２、支持部３、媒体挿入棒４などの絶縁材料は、絶縁抵抗が１０の１２乗オーム以上の材料を目安とする。絶縁材料は、例えば、アクリルである。
【００１１】
次に、媒体１１を使用した電子機器４１の静電気放電（ＥＳＤ）耐性試験の手順について説明を行う。
【００１２】
まず、ＥＳＤ耐性試験のための試験準備を行う。
電子機器４１は、予め試験プログラムにより試験中の状態にしておく。例えば電子機器４１の表示部に特殊パターンを表示しておく。
【００１３】
図３に帯電方法の説明図を示す。
ＥＳＤ試験機２１は、高電圧の発生等を行う本体部２２と、この本体部２２からの電圧を媒体１１に印加する放電部２３とを有する。
（１）作業者は、試験治具１の支持部３を持ち、媒体１１を媒体保持部２で掴む。
（２）次に、作業者は、ＥＳＤ試験器２１の任意の電圧で媒体１１を帯電させる。任意の電圧とは、例えば１０ｋｖの電圧である。このため、作業者は、本体部２２により静電気電圧を１０ＫＶに設定する。次に、作業者は、放電部２３を媒体１１の複数個所に接触させて電圧を印加する。
【００１４】
図４に媒体挿入時の説明図を示す。
（３）帯電が完了すると、作業者は、支持部３を持ち、電子機器４１の媒体挿入口４２に、帯電した媒体１１を挿入する。図４（ａ）は、電子機器４１の媒体挿入口４２に、帯電した媒体１１を一部挿入した状態である。
（４）次に、作業者は、媒体挿入棒４をさらに押して媒体１１を電子機器４１に押し込む。押し込んだ状態を図４（ｂ）に示す。
【００１５】
この過程で電子機器４１に帯電した媒体１１から帯電電位に応じた静電気放電が生じる。（５）その際に、電子機器４１に誤動作や破壊が生じないことを電子機器４１の表示部等により確認する。
（６）誤動作や破壊が生じなければ、媒体１１の挿入によるＥＳＤ試験を終了する。誤動作や破壊が生じれば、その原因の調査を行い、電子機器４１の静電気対策を強化する。
【００１６】
（実施例２）
図５に実施例２の試験治具の構成図を示す。
試験治具１は、媒体保持部２と、支持部３と、媒体挿入棒４、バネ６を有する。
実施例１に、バネ６を追加している。  それに伴い、媒体挿入棒４の構造も変更している。
媒体挿入棒４は、支持部３内部を移動して保持された媒体１１を電子機器４１に挿入する。媒体挿入棒４は、プラスチック等の絶縁性の高い材質とする。媒体挿入棒４の中間部にバネの伸縮を行うために径を太くしたバネ押下部７を有している。
バネ６は、コイル状のバネである。バネ６は、作業者が媒体挿入棒４を支持部３内部に押し込むことで圧縮され、手を離すと反力により伸張する。作業者は、円筒の支持部３の空間に媒体挿入棒４を押し込むことで、媒体１１を電子機器４１に挿入する。このとき、バネ６は、圧縮されている。作業者による媒体１１の電子機器４１への挿入が完了して、作業者が手を離すと、元の位置に伸張する。
ここで使用する媒体保持部２、支持部３、媒体挿入棒４などの絶縁材料は、絶縁抵抗が１０の１２乗オーム以上の材料を目安とする。絶縁材料は、例えば、アクリルである。バネ６は、硬鋼線等である。
【００１７】
実施例２による媒体１１を使用した電子機器４１の静電気放電（ＥＳＤ）耐性試験の手順は、実施例１と試験方法は、同一である。
また、作業者による作業は、ロボットに置き換えて、試験治具１による媒体１１の保持、媒体１１への帯電、媒体１１の電子機器４１への挿入をさせることも可能である。
【００１８】
このように、試験治具１を使うことにより、帯電した媒体の電荷が人体や手袋への移動を抑制できることから、意図した帯電電圧での正しい耐性試験を実施することが可能となる。
【図面の簡単な説明】
【００１９】
【図１】実施例１の試験治具の説明図
【図２】媒体の保持状態の説明図
【図３】帯電方法の説明図
【図４】媒体挿入時の説明図
【図５】実施例２の試験治具の構成図
【符号の説明】
【００２０】
１  試験治具
２  媒体保持部
３  支持部
４  媒体挿入棒
５  保持面
６  バネ
７  バネ押下部
１１  媒体
２１  ＥＳＤ試験機
２２  本体部
２３  放電部
４１  電子機器
４２  媒体挿入口
【図１】
2010019648.tif 000003
【図２】
2010019648.tif 000004
【図３】
2010019648.tif 000005
【図４】
2010019648.tif 000006
【図５】
2010019648.tif 000007